(57)【特許請求の範囲】
【請求項１】
試料を薄切りするための替刃ホルダー４をミクロトーム本体に取付けるためのホルダー保持装置であって、
該ホルダー保持装置は、
ミクロトーム本体の長手方向に配置されたガイドレール１と、
該ガイドレールに対し摺動自在に移動する滑走台２と、
該滑走台に固定された固定台３１と、
該固定台に固定された磁性体９と、
該磁性体の上面に固定された非磁性体からなるセパレータ１０ｄを挟持したヨーク１０ｃ，１０ｂおよび前記セパレータとヨークに形成された円筒状の孔１０ｅ内に回転自在に挿入されたマグネット１０ａからなるマグネット装置１０と、
前記固定台と前記マグネット装置との間に形成された替刃ホルダーを差し込むための開口部３１ａと、
前記マグネット装置における前記マグネットを回転させるための回転レバー１０ｇとより構成され、
前記２つのヨークが着磁された状態において、前記替刃ホルダーは少なくとも前記１つのヨークと前記磁性体によって吸着されることを特徴とするミクロトーム用替刃ホルダー保持装置。
【請求項２】
前記開口部における前記固定台の開口部底面に、テフロン等の摩擦抵抗の少ない樹脂フィルムを貼着したことを特徴とする請求項１記載のミクロトーム用替刃ホルダー保持装置。
【請求項３】
前記セパレータは、磁性体の平面に対して傾斜して配置されていることを特徴とする請求項１記載のミクロトーム用替刃ホルダー保持装置。
【請求項４】
試料を薄切りするための替刃ホルダー４をミクロトーム本体に取付けるためのホルダー保持装置であって、
前記ホルダー装置は、
ミクロトーム本体の長手方向に配置されたガイドレール１と、
該ガイドレールに対し摺動自在に移動する滑走台２と、
該滑走台に固定される、替刃ホルダーを嵌め込むための開口部３１ａおよび該開口部の上面に形成された孔３１ｂが形成された固定台３１と、
該固定台の前記孔内に挿入されるネジ孔３３ａが形成された第１の押圧体３３ｂと、
該第１の押圧体の上方に位置しネジ挿通孔３３ｃが形成された第２の押圧体３３ｄと、
前記第２の押圧体のネジ挿通孔に挿通され、かつ、前記第１の押圧体のネジ孔に螺合され先端が前記第１の押圧体の下面より突出したネジ３４と、
前記第１および第２の押圧体の間に介在された複数枚の皿バネと、
前記固定台に対して回転自在に取付けられ、かつ、何れかの方向に回動することで前記第２の押圧体を押下する操作レバー３７とを具備し、
前記固定台に形成された開口部に替刃ホルダーを挿入した状態で前記操作レバーによって前記第２の押圧体を押下することにより、前記皿バネのバネ力で前記ネジを介して替刃ホルダーを固定台に固定するようにしたことを特徴とするミクロトーム用替刃ホルダー保持装置。
【請求項５】
前記第１、第２の押圧体の間に介在される皿バネは少なくとも２枚重ねを１組とし、かつ、交互に段重ねされていることを特徴とする請求項４記載のミクロトーム用替刃ホルダー保持装置。
【発明の詳細な説明】
【０００１】
【発明の属する技術分野】
本発明はミクロトームにおける試料を薄切りするための替刃を着脱自在に保持するホルダーを、ミクロトーム本体（特に滑走式ミクロトーム）にワンタッチで取付け、取外しができるようにしたミクロトーム用替刃ホルダー保持装置に関する。
【０００２】
【従来の技術】
従来における滑走式ミクロトームを図９と共に説明する。
１はミクロトーム本体に長手方向に配置されたガイドレール、２は該ガイドレール１に対して摺動自在に移動する滑走台、３は該滑走台２に取付けられた替刃ホルダー保持装置（以下、単に保持装置という）、４は該保持装置３に対して着脱自在に取付けられる替刃ホルダー、５は該替刃ホルダー４に交換自在に取付けられた替刃である。
【０００３】
また、６はミクロトーム本体に取付けられた試料台、７は該試料台６を前記替刃ホルダー４が往復運動するごとに一定のピッチで上昇させる推進機構、８は試料をパラフィンによって埋設凍結状態で保持したカセットである。なお、９は薄切り操作時に、操作者が替刃５によって怪我するのを防止するための開閉自在なセフテーガードである。
【０００４】
このように構成されたミクロトームは、試料が埋設されたカセット８を試料台６に取付け、一方、替刃５が装着された替刃ホルダー４を滑走台２に取付け、この滑走台２に取付けられた保持装置３に前記替刃ホルダー４を取付けた状態において、滑走台２をガイドレール１に沿って水平方向に移動すると、替刃５はカセット８のパラフィンを薄切りする。これにより薄切りされたパラフィンに埋設されている試料が薄切りされるものである。
【０００５】
ところで、前記替刃ホルダー４を滑走台２に取付けるための従来における保持装置３は図１０に示す如きものである。以下、この保持装置３について説明するに、３１は滑走台２にネジ３２（図９参照）によって固定される固定台にして、替刃ホルダー４を嵌め込むための開口部３１ａが形成され、また、該開口部３１ａの上面には後述する押圧体３３が上下動自在に挿入される孔３１ｂが形成されている。
【０００６】
押圧体３３は立方体に形成され中心にネジ孔３３ａが形成され、このネジ孔３３ａにネジ３４が螺合され、該ネジ３４の下端は前記開口部３１ａ内に臨み、また、上端は押圧体３３の上面より突出している。３５は前記ネジ３４の上端側に螺合されたナットにして、ネジ３４の下側側が押圧体３３の下面よりの突出量を設定した後にナット３５を天板３６を介してねじ込むことによりネジ３４と押圧体３３とは一体化する。
【０００７】
３７は前記押圧体３３の上面両側より上方に突出した支持片３１ｃに挿通された回転軸３８によって回転自在に固定台３１に取付けられた操作レバーにして、図示の起立状態にあっては押圧体３３は図示しないスプリングによって上方に移動してネジ３４の下端が替刃ホルダー４の上面から離開する状態となり、操作レバー３７を図１０において時計方向に回転させると前記スプリングのバネ力に抗して押圧体３３を下降させる構造となっている。
【０００８】
このように構成された従来例にあっては、替刃ホルダー４の基部側（替刃が取付けられていない厚みの厚い側）を保持装置３の開口部３１ａ内に挿入し（図示の状態）、次いで、操作レバー３７を回転させると押圧体３３が下降してネジ３４の下端が替刃ホルダー４の上面を開口部３１ａの下側に押し付け、これによって、替刃ホルダー４は保持装置３に固定されるものである。
【０００９】
【発明が解決しようとする課題】
ところで、前記した従来の保持装置３にあっては、ネジ３４の下側への突出量のみによって替刃ホルダー４を固定台３１の開口部３１ａに固定する構造であるため、替刃ホルダー４の厚みが異なった場合に前記ネジ３４の突出量を調整する必要性が生じる。
【００１０】
しかし、この調整はナット３５を緩め、次いで、ボルト３４の下側への突出量を調整し、さらに、ナット３５を締め付けボルト３４を押圧体３３に固定するものであることから、ボルト３４の突出量の調整が非常に面倒であり時間が掛り、かつ、熟練をようするといった問題があった。
【００１１】
本発明は前記した問題点を解決せんとするもので、その目的とするところは、マグネットの磁力あるいは皿ばねのバネ力によって替刃ホルダーを取付けるようにしたので、ボルトの下側への突出量の微調整を行うことなく替刃ホルダーを固定台に対して固定るすことができるミクロトーム用替刃ホルダー保持装置を提供せんとするにある。
【００１２】
【課題を解決するための手段】
本発明のミクロトーム用替刃ホルダー保持装置は前記した目的を達成せんとするもので、請求項１の手段は、試料を薄切りするための替刃ホルダー４をミクロトーム本体に取付けるためのホルダー保持装置であって、該ホルダー保持装置は、ミクロトーム本体の長手方向に配置されたガイドレール１と、該ガイドレールに対し摺動自在に移動する滑走台２と、該滑走台に固定された固定台３１と、該固定台に固定された磁性体９と、該磁性体の上面に固定された非磁性体からなるセパレータ１０ｄを挟持したヨーク１０ｃ，１０ｂおよび前記セパレータとヨークに形成された円筒状の孔１０ｅ内に回転自在に挿入されたマグネット１０ａからなるマグネット装置１０と、前記固定台と前記マグネット装置との間に形成された替刃ホルダーを差し込むための開口部３１ａと、前記マグネット装置における前記マグネットを回転させるための回転レバー１０ｇとより構成され、前記２つのヨークが着磁された状態において、前記替刃ホルダーは少なくとも前記１つのヨークと前記磁性体によって吸着されることを特徴とする。
【００１３】
請求項２の手段は、前記した請求項１において、前記開口部における前記固定台の開口部底面に、テフロン等の摩擦抵抗の少ない樹脂フィルムを貼着したことを特徴とし、また、請求項３の手段は、前記した請求項１において、前記セパレータは、磁性体の平面に対して傾斜して配置されていることを特徴とする。
【００１４】
請求項４の手段は、試料を薄切りするための替刃ホルダー４をミクロトーム本体に取付けるためのホルダー保持装置であって、前記ホルダー装置は、ミクロトーム本体の長手方向に配置されたガイドレール１と、該ガイドレールに対し摺動自在に移動する滑走台２と、該滑走台に固定される、替刃ホルダーを嵌め込むための開口部３１ａおよび該開口部の上面に形成された孔３１ｂが形成された固定台３１と、該固定台の前記孔内に挿入されるネジ孔３３ａが形成された第１の押圧体３３ｂと、該第１の押圧体の上方に位置しネジ挿通孔３３ｃが形成された第２の押圧体３３ｄと、前記第２の押圧体のネジ挿通孔に挿通され、かつ、前記第１の押圧体のネジ孔に螺合され先端が前記第１の押圧体の下面より突出したネジ３４と、前記第１および第２の押圧体の間に介在された複数枚の皿バネと、前記固定台に対して回転自在に取付けられ、かつ、何れかの方向に回動することで前記第２の押圧体を押下する操作レバー３７とを具備し、前記固定台に形成された開口部に替刃ホルダーを挿入した状態で前記操作レバーによって前記第２の押圧体を押下することにより、前記皿バネのバネ力で前記ネジを介して替刃ホルダーを固定台に固定するようにしたことを特徴とする。
【００１５】
請求項５の手段は、前記した請求項４において、前記第１、第２の押圧体の間に介在される皿バネは少なくとも２枚重ねを１組とし、かつ、交互に段重ねされていることを特徴とする。
【００１６】
【発明の実施の形態】
以下、本発明に係るミクロトーム用替刃ホルダー保持装置の第１の実施の形態を図１〜図５と共に説明する。なお、前記した従来例と同一符号は同一部分を示し説明は省略する。
本発明の固定台３１は開口部３１ａの部分でカットされ、このカットされた上面に磁性体９が固着されている。そして、この磁性体９の上面にマグネット装置１０が固定され、このマグネット装置１０と固定台３との間に替刃ホルダー４を差し込むための開口部３１ａが形成されている。なお、１１は開口部３１ａの下面に接着固定されたテフロン等の摩擦抵抗の少ない樹脂フィルムにして、替刃ホルダー４を差し込み易くするためのものである。
【００１７】
次に、マグネット装置１０の詳細を図３〜図５と共に説明する。
１０ａは長手方向に対してＮ，Ｓ極が着磁されたマグネットにして、直方体の短い辺側を円弧状に形成した形状となっている。１０ｂ，１０ｃはヨークにして、非磁性体からなるセパレータ１０ｄを介して一体化されている。そして、一体化されたヨーク１０ｂ，１０ｃとセパレータ１０ｄには円筒状の孔１０ｅが形成され、該孔１０ｅ内には前記マグネット１０ａが回転自在に挿入されている。
【００１８】
１０ｆは前記マグネット１０ａの一端に固定された回転レバーにして、ハンドル１０ｇが取付けされ、該ハンドル１０ｇを回転することにより、マグネット１０ａは孔１０ｅ内で回転することとなる。
【００１９】
次に、マグネット装置１０の動作について図５と共に説明するに、マグネット１０ａがセパレータ１０ｄと平行な状態にあっては（図５ａ）、マグネット１０ａのＮ極からＳ極への磁束は破線で示すように各ヨーク１０ｂ，１０ｃ内で閉回路となり、外部への磁束の漏洩はない。従って、固定台３とマグネット装置１０との開口部３１ａ内に差し込まれた替刃ホルダー４には何らの影響も与えない。
【００２０】
そして、ハンドル１０ｇを９０度回転すると（図５ｂ）、マグネット１０ａのＮ極からの磁束は破線で示すように、ヨーク１０ｃからヨーク１０ｂに流れるので、図２においてヨーク１０ｃから替刃ホルダー４、磁性体９、ヨーク１０ｂに流れるので、替刃ホルダー４はヨーク１０ｃ，１０ｂに吸着されて固定状態となる。なお、本実施の形態にあっては、セパレータ１０ｄを傾けたので、より、替刃ホルダー４の吸着力を向上させるためである。
【００２１】
このように、ハンドル１０ｇを回転することにより、替刃ホルダー４をヨーク１０ｂ，１０ｃに対して吸着状態としたり、開放状態とすることができるので、替刃ホルダー４の保持装置３への取付けおよび取外しを簡単、かつ、確実に行うことができるものである。
【００２２】
次に、第２の実施の形態を図６〜図８と共に説明する。
この実施の形態は前記した従来例における押圧体３３をネジ３２が螺合されるネジ孔３３ａが形成された第１の押圧体３３ｂと、該第１の押圧体３３ｂの上方に位置しネジ３２が挿通される挿通孔３３ｃが形成された第２の押圧体３３ｄとから構成し、かつ、第１の押圧体３３ｂと第２の押圧体３３ｄに形成した穴３３ｅとの間に、皿バネ１１を２枚重ねしたものを図示のように交互に４段重ねた状態でネジ３２に挿通して配置する。なお、１２は操作レバー３７を押し上げた状態において、第１の押圧体３３ｂを上方に押し上げてネジ３２の下端を替刃ホルダー４から離すためのスプリングである。
【００２３】
このように構成した第２の実施の形態における動作を説明するに、替刃ホルダー４を保持装置３に取付けるには、操作レバー３７を押し上げた状態（第６図）で、替刃ホルダー４を開口部３１ａに差し込む。この状態において、第２の押圧体３３ｄがスプリング１２のバネ力によって押し上げられるので、該第２の押圧体３３ｄの上昇に伴って第１の押圧体３３ｂも押し上げられ、ネジ３４の下端が替刃ホルダー４の上面と接触することはない。
【００２４】
次いで、図６において操作レバー３７を時計方向に回動すると、該操作レバー３７の回転角度に応じて第２の押圧体３３ｄが下降し、該第２の押圧体３３ｄの下降に伴って第１の押圧体３３ｂが皿バネ１１のバネ力によって下降を開始し、ネジ３４の下端が替刃ホルダー４の上面に当接した後は、第２の押圧体３３ｄが皿バネ１１のバネ力を介して第１の押圧体３３ｂを押し下げ、これにより、ネジ３４の下端が皿バネ１１のバネ力によって替刃ホルダー４が押圧されることとなる。
【００２５】
従って、従来のようにネジ３４の突出量によって替刃ホルダー４を固定するものと比較してネジ３４の突出量を正確に調整する必要がなくなり、簡単、かつ、確実に固定できる。しかも、皿バネ１１のバネ力を利用することから、スプリングのようなバネの経年変化がなく、長期間安定した状態で替刃ホルダー４の固定が行えるものである。
【００２６】
ところで、前記した実施の形態にあっては、２枚の皿バネ１１を１組として交互に段重ねして配置したものを示したが、１枚あるいは２枚以上の皿バネ１１を交互に段重ねしたものであってもよく、また、段重ねされる皿バネ１１は１枚であっても２枚以上であっても押圧状態で0.25mm各段毎に縮むので、４段に重ねることで１mm縮む。そこで、第１および第２の押圧体３３ｂ，３３ｄとの間隔は押圧状態で最低でも１mm以上の間隔が開くようにする必要がある。
【００２７】
【発明の効果】
本発明は前記したように、マグネットと、該マグネットが回転自在に挿入されるように配置された２つのヨークと、前記マグネットを少なくとも９０度の範囲内で回転させるための回転レバーとからなるマグネット装置によって替刃ホルダー保持装置を構成し、替刃ホルダーが挿入される開口部を固定台と少なくとも１つのヨークとの間に形成し、２つのヨークが着磁された状態において、前記替刃ホルダーは少なくとも前記１つのヨークと磁性体によって吸着させるようにしたので、回転レバーの回転のみで替刃ホルダーを保持装置に対して簡単、かつ、確実に固定でき、従って、従来のようにネジの調整が全く必要がなくなり、未熟練者であっても扱うことができるものである。
【００２８】
また、前記固定台の替刃ホルダーと接触する面にテフロン等の摩擦抵抗の少ない樹脂フィルムを貼着したことにより、アンロック状態において重量の大なる替刃ホルダーを開口部内で容易に移動することができ、位置調整が容易に行えるものである。
【００２９】
さらに、ネジ挿通孔が形成された第２の押圧体と、ネジ孔が形成された第１の押圧体と、前記第２の押圧体のネジ挿通孔に挿通され、かつ、前記第１の押圧体のネジ孔に螺合され先端が下面より突出したネジとより構成し、固定台に形成された開口部に前記替刃ホルダーを挿入した状態で操作レバーによって前記第２の押圧体を押下することにより、前記皿バネのバネ力で前記ネジを介して替刃ホルダーを固定台に固定するようにしたので、ネジの突出量の調整が非常に大まかであっても、前記皿バネによるバネ力で替刃ホルダーを簡単、かつ、確実に固定することができる。
【００３０】
また、前記皿バネは少なくとも２枚重ねを一組とし、かつ、交互に段重ねすることにより、１枚の皿バネを交互に段重ねするものよりも皿バネの耐用年数が長くなり、長期間の使用にもバネ力の劣化による固定不良が発生しない等の効果を有するものである。
【図面の簡単な説明】
【図１】  本発明に係るミクロトーム用替刃ホルダー保持装置の第１の実施の形態における替刃ホルダーを吸着していない状態の側面図である。
【図２】  同上の吸着状態を示す側面図である。
【図３】  同上のマグネット装置の斜視図である。
【図４】  同上の分解斜視図である。
【図５】  (a) は非吸着状態を示す説明図、(b) は吸着状態を示す説明図である。
【図６】  第２の実施の形態における替刃ホルダーを固定していない状態の一部断面側面図である。
【図７】  替刃ホルダーを固定した状態の一部断面側面図である。
【図８】  図６の一部断面正面図である。
【図９】  従来のミクロトーム全体の斜視図である。
【図１０】  同上における替刃ホルダー保持装置の一部断面側面図である。
【符号の説明】
３          替刃ホルダー保持装置
３１        固定台
３１ａ      開口部
３３ａ      ネジ挿通孔
３３ｂ      第１の押圧体
３３ｃ      ネジ孔
３３ｄ      第２の押圧体
３４        ネジ
３７        操作レバー
４          替刃ホルダー
９          磁性体
１０        マグネット装置
１０ａ      マグネット
１０ｂ      ヨーク
１０ｃ      ヨーク
１０ｄ      セパレータ
１０ｆ      回転レバー
【図１】
0004341732.tif 000002
【図２】
0004341732.tif 000003
【図３】
0004341732.tif 000004
【図４】
0004341732.tif 000005
【図５】
0004341732.tif 000006
【図６】
0004341732.tif 000007
【図７】
0004341732.tif 000008
【図８】
0004341732.tif 000009
【図９】
0004341732.tif 000010
【図１０】
0004341732.tif 000011